(57)【要約】【課題】  構成が簡易で確実にパラペットに取り付けて地上から建物の屋上に物品の吊り上げることができる物品の吊り上げ機構を提供する。【解決手段】  パラペット１に固定され上端に横管固定部２４を備えた固定枠２と、前記横管固定部２４に固定された横管４と、この横管４に固定された縦管５と、縦管５に固定される縦管支持体６と、前記縦管５の上部に固定されたブーム支持体７と、前記ブーム支持体７を介して水平方向に回動自在に支持されたブーム８と、前記ブーム８によって物品９３を吊り上げるウインチ９０とからなる物品の吊り上げ機構。【選択図】図１
0003148929.tif 000002
【実用新案登録請求の範囲】
【請求項１】
パラペットに固定され上端に横管固定部を備えた固定枠と、前記横管固定部に固定した横管と、この横管に固定した縦管と、前記縦管に固定した縦管支持体と、前記縦管の上部に固定したブーム支持体と、前記ブーム支持体に水平方向に回動自在に取り付けたブームと、前記ブーム先端に設けた滑車を介して物品を吊り上げるウインチとからなる物品の吊り上げ機構。
【請求項２】
前記固定枠を、パラペットの上側面に密着する水平部材と、前記水平部材の一端に固定されパラペットの外側面に密着する外側垂直部材と、前記水平部材の他端に固定され下部に固定手段を備えた内側垂直部材とによって略コ字状に構成したことを特徴とする請求項１記載の物品の吊り上げ機構。
【請求項３】
前記縦管支持体を、３枚の側板によって平面視略正三角形に構成し、各頂点の３箇所に縦管の固定部を設けたことを特徴とする請求項１記載の物品の吊り上げ機構。
【請求項４】
前記ブーム支持体を、３枚の側板によって平面視略正三角形に構成し、各頂点の３箇所に縦管の固定部を設け、かつ２枚の側板に２枚の支持板を取り付けて、この支持板にピン挿通部を構成したことを特徴とする請求項１記載の物品の吊り上げ機構。
【考案の詳細な説明】
【技術分野】
【０００１】
本考案は、建物の屋上などに通信設備等の重量物を吊り上げるための物品の吊り上げ機構に関するものである。
【背景技術】
【０００２】
建物の屋上にアンテナ等の通信設備を設置する際に、通信設備の部品を地上より設置現場まで吊り上げて組み立てる。この場合、従来では、建物の屋上に、張出足場と呼ばれる作業半径１ｍ程度の吊り上げ手段を用いて吊り上げていた。
この張出足場は、定格荷重２５０ｋｇ、揚程約２０ｍ、作業半径約１ｍであるため、高い建物へ重量物を吊り上げることができず、かつ半径作業も小さいため作業に制約があった。
【０００３】
また、特許文献１に示すような、簡易クレーンも提案されていた。
この簡易クレーンは、足場支柱（１）に取り付けて用いるものであり、アーム（５）基部端の上部に設けられ足場支柱（１）が貫通可能なリング状取付部（３）と、アーム（５）基部端の下部に設けられ足場支柱（１）に当接する当接部（４）を有するものである。
この簡易クレーンによれば、足場への取り付け、取り外しが容易であり、作業現場における作業効率を向上させるという効果を奏する。
【特許文献１】実用新案登録第３０２３６８３号
【０００４】
しかし、前記特許文献１の簡易クレーンは、１本の足場支柱に貫通させるリング（１）と下方の当接部（４）だけで支持するため、通信設備のような重量物を吊り上げることはできず、作動状態も不安定であるという問題点があった。
【考案の開示】
【考案が解決しようとする課題】
【０００５】
本考案は上記の点に鑑みなされたものであり、パラペット（建物の屋上などの外周部に設けられた低い壁）に、強固、確実に固定されるため、安定性がよく、重量物を高所まで安全に吊り上げることのできる物品の吊り上げ機構を提供する。
【課題を解決するための手段】
【０００６】
本考案の要旨とするところは、パラペットに固定され上端に横管固定部を備えた固定枠と、前記横管固定部に固定した横管と、この横管に固定した縦管と、前記縦管に固定した縦管支持体と、前記縦管の上部に固定したブーム支持体と、前記ブーム支持体に水平方向に回動自在に取り付けたブームと、前記ブーム先端に設けた滑車を介して物品を吊り上げるウインチとからなる物品の吊り上げ機構である。
【０００７】
また本考案の要旨とするところは、前記固定枠を、パラペットの上側面に密着する水平部材と、前記水平部材の一端に固定されパラペットの外側面に密着する外側垂直部材と、前記水平部材の他端に固定され下部に固定手段を備えた内側垂直部材とによって略コ字状に構成した物品の吊り上げ機構である。
【０００８】
また本考案の要旨とするところは、前記縦管支持体を、３枚の側板によって平面視略正三角形に構成し、各頂点の３箇所に縦管の固定部を設けた物品の吊り上げ機構である。
【０００９】
また本考案の要旨とするところは、前記ブーム支持体を、３枚の側板によって平面視略正三角形に構成し、各頂点の３箇所に縦管の固定部を設け、かつ２枚の側板に２枚の支持板を取り付けて、この支持板にピン挿通部を構成した物品の吊り上げ機構である。
【考案の効果】
【００１０】
本考案は上記の如き構成であるため、請求項１記載の考案によれば、パラペットに固定した固定枠を基礎として横管と縦管を組み立てて吊り上げ機構を構築するため、吊り上げ機構を簡単、確実、強固に建物の屋上に取り付けることができ、安全で能率のよい重量物の吊り上げ作業を行うことができる。
【００１１】
請求項２記載の考案によれば、前記固定枠を、水平部材と外側垂直部材と内側垂直部材とによって略コ字状に構成したから、固定枠をパラペットに簡易かつ強固に取り付けることができる。
【００１２】
請求項３記載の考案によれば、縦管支持体を平面視略正三角形に構成し、各頂点の３箇所に縦管の固定部を設けたので縦管が安定して支持される。
【００１３】
請求項４記載の考案によれば、ブーム支持体の縦管支持体を平面視略正三角形に構成し、各頂点の３箇所に縦管の固定部を設けると共に、ブームを回動自在に取り付けるためのピン挿通部を構成したのでブームを安定して支持することができる。
【考案を実施するための最良の形態】
【００１４】
本考案を実施するための最良の形態は、上端に横管固定部を備えた略コ字状の固定枠をパラペット上に固定し、この横管固定部に横管をクランプによって水平に固定する。
前記横管に３本の縦管をクランプで垂直に固定して、この縦管を縦管支持体で固定支持する。
前記縦管の上部にブーム支持体を固定し、このブーム支持体を介してブームを水平方向に回動自在に取り付け、前記ブーム先端に設けた滑車を介して物品を吊り上げるウインチを屋上に設置した物品の吊り上げ機構である。
【００１５】
以下、本考案の一実施例を図に基づいて説明する。
図１は物品の吊り上げ機構の側面図、図２は同平面図、図３は固定枠のパラペットへの取り付け状態の側面図、図４は固定枠の一部切欠分解斜視図、図５は縦管支持体の分解斜視図、図６はブーム支持体の分解斜視図及び図７はブームの側面図である。
【００１６】
図１ないし図４に基づいて固定枠２を説明する。固定枠２は略コ字状でパラペット１の上側面１ｂに密着する水平部材２２と、水平部材２２の両端に直角に、外側垂直部材２１と内側垂直部材２３を固定している。
【００１７】
前記水平部材２２には、パラペット１の上側面１ｂに安定して密着させるために、水平板２２ｂの裏側にゴム材２２ａを固定すると共に、表側に横管固定部２４を立設する。この横管固定部２４に横管４をクランプ４１で水平に固定するのである。
さらに前記水平板２２ｂには、６個の長孔２２ｃを２列に分けて穿設してある。
【００１８】
前記外側垂直部材２１にはパラペット１の外側面１ａに密着させるために裏側にゴム材２１ａを固定してある。
【００１９】
前記内側垂直部材２３の下方には固定手段２５を構成する。
前記固定手段２５は、固定枠２の内側垂直部材２３の垂直板２３ａの下部に設けた孔２３ａを貫通する作動杆２６とその先端に設けた押圧体２７からなる。この押圧体２７の表面にはゴム２７ａが取り付けられている。
作動杆２６は周面に螺旋が構成されていて、前記孔２３ａと螺合しながら水平方向に前方（図３中、左方向）に移動して、移動部材３１を押圧する。
【００２０】
一方、前記水平部材２２の下面に水平方向に移動自在に移動部材３１を取り付ける。この移動部材３１はＨ鋼で構成されていて、上端に構成した上板３１ｂに、前記水平部材２２の水平板２２ｂの長孔２２ｃに対応した４個の孔３１ｃを穿設し、前方の側板３１ｄには２個の長孔３１ｅを穿設してあり、上端にゴム３１ａを貼着する。
前記長孔２２ｃと孔３１ｃにボルトＢを通して、移動部材３１を水平板２２ｂに固定するのである。
【００２１】
前記移動部材３１の側板３１ｄにはアングル３５を取り付ける。このアングル３５はＬ字状の金属板で、上面の水平部３５ａにゴム３５ｂを固定し、垂直部３５ｃに２個の孔３５ｄを穿設している。この孔３５ｄは、前記側板３１ｄの長孔３１ｅに対応するもので、この孔３５ｄと長孔３１ｅにボルトＢを通して、アングル３５を側板３１ｄに固定するのである。
【００２２】
図５に基づいて縦管支持体６の構成を説明する。
縦管支持体６は、同一形状の３枚の長方形の側板６１を正三角形に構成し、各頂点の３箇所に縦管の固定部６２を設ける。
縦管の固定部６２は、固定挟持体６３と可動挟持体６４によって構成する。前記固定挟持体６３は側板６１の頂部３箇所に固定され、縦管５を収納する凹部６３ｂとその両側に張り出した締結部６３ａからなる。
一方、可動挟持体６４は、前記固定挟持体６３と同一形状であり、締結部６４ａによって固定挟持体６３の締結部６３ａにボルトＢで締結されるのである。
【００２３】
図６に基づいてブーム支持体７の構成を説明する。
ブーム支持体７は、前記縦管支持体６における２枚の側板６１に２枚の平行な支持板７１を取り付けて、この支持板７１前方に固定板７３，７３を水平に固定し、この固定板７３，７３を貫通してパイプ状のピン挿通部７２を構成したものである。
【００２４】
図７に基づいてブームの構成を説明する。
ブーム８は、先端に滑車９１を備えた水平杆８１と傾斜杆８２及び垂直杆８３によって、直角三角形状に構成されている。
前記垂直杆８３には、ピン挿通部８５を構成した回動支持部８４が固定されている。この回動支持部８４の上下を前記２個のブーム支持体７で挟んで、ピン挿通部７２、８５、７２にピン８８を挿通することでブーム８を水平方向に回動自在に取り付けるのである。
【００２５】
上記のように構成した本実施例の作用を説明する。
まず固定枠２の水平部材２２をパラペット１の上側面１ｂに、外側垂直部材２１をパラペット１の外側面１ａに密着して、固定枠２をパラペット１に取り付ける。
この場合、図２に示すようにパラペット１の角部の４箇所に固定枠２を固定する。
【００２６】
次いで、前記内側垂直部材２３に取り付けた固定手段２５の作動杆２６を前進させ、その先端の押圧体２７で移動部材３１を移動させてパラペット１の内側面１ｄに押圧する。これによって移動部材３１がパラペット１の内側面１ｄを押圧して、固定枠２はパラペット１に確実に固定される。
その後、あらかじめ水平部材２２の長孔２２ｃと移動部材３１の孔３１ｃに通してあったボルトＢを締結して、移動体３１を水平板２２ｂに固定する。この場合、移動体３１は長孔２２ｃの長さだけ移動可能であるから、パラペット１の幅に対応することができるのである。
次いで、側板３１ｄに沿ってアングル３５を上方に移動してゴム３５ｂをパラペット１の下面に押圧し、その後ボルトＢを締結してアングル３５を側板３１ｄに固定する。
【００２７】
次に、固定枠２の横管固定部２４に横管４をクランプ４１によって水平に固定する。本実施例では４個の固定枠を設け、４本の横管４を交差して固定するため組み付けが強固になる。この横管４に３本の縦管５をクランプ４１で固定する。
前記横管４に４本の補強縦管５５を垂直に固定して屋上に立設する。この補強縦管５５を安定させるために、平行な２本の補強横管４５と、クロスした補強横管４６を、夫々補強縦管５５の下部に水平にクランプ４１で固定する。
さらに前記補強横管４５に直交して２本の補強横管４７を水平に固定し、この補強横管４７に３本の縦管５の下部をクランプ４１で固定する。
【００２８】
その後、屋上に立設した３本の縦管５に縦管支持体６を取り付けて縦管５同士を固定する。この縦管５の固定方法を図５に基づいて説明する。
縦管支持体６の固定挟持体６３の凹部６３ｂに縦管５を収納し、その上から可動挟持体６４を被せ、それらの締結部６３ａ、６４ａ同士を４個のボルトＢで締結して固定する。
【００２９】
この縦管支持体６は本実施例では５個取り付けている。この取り付け個数は任意であるが、少なくとも縦管５の下部に１〜２個必要である。
【００３０】
次に、前記縦管５の上端に２個のブーム支持体７を取り付ける。この取り付け方法は前記縦管支持体６と同様であるので説明を省略する。
【００３１】
前記ブーム支持体７の先端に、ブーム８を水平方向回動自在に取り付ける。すなわち図６に示すようにブーム支持体７の先端のピン挿通部７２にピン８８を挿通して、そのピン８８をブーム８の回動支持部８４のピン挿通部８５に挿通する。
【００３２】
このように組み立てた後、物品９３をロープ９２に掛けて滑車９１を介してウインチ９０で吊り上げるのである。
【００３３】
このように、本実施例によれば、パラペットに固定した略コ字状の固定枠を基礎として横管と縦管を組み立てたから、吊り上げ機構を簡単、確実、強固に屋上に取り付けることができ、安全で能率のよい重量物の吊り上げ作業を行うことができる。
縦管は縦管支持体によって安定して支持されると共に、ブーム支持体は縦管を支持すると共に、ブームを回動自在に安定支持することができるため、安全で効率の良い吊り上げ作業ができるのである。
【図面の簡単な説明】
【００３４】
【図１】物品の吊り上げ機構の側面図
【図２】物品の吊り上げ機構の平面図
【図３】固定枠のパラペットへの取り付け状態の側面図
【図４】固定枠の一部切欠分解斜視図
【図５】縦管支持体の分解斜視図
【図６】ブーム支持体の分解斜視図
【図７】ブームの側面図
【符号の説明】
【００３５】
１  パラペット
２  固定枠
４  横管
５  縦管
６  縦管支持体
７  ブーム支持体
８  ブーム
２１  外側垂直部材
２２  水平部材
２３  内側垂直部材
２４  横管固定部
２５  固定手段
２６  作動杆
２７  押圧体
３１  移動部材
３５  アングル
６１  側板
６２  縦管の固定部
６３  固定挟持体
６４  可動挟持体
７１  支持板
７２  ピン挿通部
８１  水平杆
８２  傾斜杆
８３  垂直杆
８４  回動支持部
９１  滑車
【図１】
0003148929.tif 000003
【図２】
0003148929.tif 000004
【図３】
0003148929.tif 000005
【図４】
0003148929.tif 000006
【図５】
0003148929.tif 000007
【図６】
0003148929.tif 000008
【図７】
0003148929.tif 000009